(57)【要約】【課題】確実にデコードできるデータ（フレーム）から録画を開始することができる電子機器を提供すること。【解決手段】録画処理部１６６は、録画開始要求部１６５により録画の開始が要求された場合に、管理テーブル生成部１６２により生成された管理テーブルを参照し、通知部１６４により通知される復号可能情報（ＰＴＳ）に対応する固有情報（ＰＴＳ）を検索し、検索された固有情報（ＰＴＳ）に対応する特定のＴＳポケットの位置情報（バッファオフセット）を取得し、取得した位置情報（バッファオフセット）に基づいてリングバッファ１６１から特定のＴＳパケット以降のＴＳパケットを順次読み出し、読み出したＴＳパケットを処理部２００のメモリ２０１に録画処理する。【選択図】図５
2008277950.tif 000002
【特許請求の範囲】
【請求項１】
所定方式により圧縮処理されたデジタル放送信号を受信する受信手段と、
前記受信手段により受信された前記デジタル放送信号を所定の信号単位で一時的に蓄積する蓄積手段と、
前記蓄積手段から前記信号単位を読み出し、読み出した信号単位を所定のメモリに録画処理する録画処理手段と、
前記蓄積手段に蓄積されている信号単位の中から特定の信号単位が蓄積されている位置情報と、前記特定の信号単位を示す固有情報とから構成される管理テーブルを生成する管理テーブル生成手段と、
前記受信手段により受信された前記デジタル放送信号を復号処理する復号処理手段と、
前記復号処理手段により前記復号処理が行われた場合、復号処理が可能である旨を表す復号可能情報を生成し、生成した復号可能情報を前記録画処理手段に通知する通知手段と、
前記デジタル放送信号の録画の開始を前記録画処理手段に要求する録画開始要求手段と、を備え、
前記録画処理手段は、前記録画開始要求手段により前記録画の開始が要求された場合に、前記管理テーブルを参照し、前記通知手段により通知される前記復号可能情報に対応する固有情報を検索し、検索された前記固有情報に対応する特定の信号単位の位置情報を取得し、取得した前記位置情報に基づいて前記蓄積手段から前記特定の信号単位以降の信号単位を順次読み出し、読み出した信号単位を前記所定のメモリに録画することを特徴とする電子機器。
【請求項２】
前記受信手段で受信するデジタル放送信号は、Ｈ．２６４／ＭＰＥＧ−４  ＡＶＣ（Ｍｏｖｉｎｇ  Ｐｉｃｔｕｒｅ  Ｅｘｐｅｒｔｓ  Ｇｒｏｕｐ−４  Ａｄｖａｎｃｅｄ  Ｖｉｄｅｏ  Ｃｏｒｄｉｎｇ）の圧縮規格に準拠するＴＳ（Ｔｒａｎｓｐｏｒｔ  Ｓｔｒｅａｍ）であり、
前記蓄積手段は、リングバッファであり、
前記蓄積手段に蓄積される前記所定の信号単位は、ＴＳパケットであり、
前記通知手段により通知される前記復号可能情報は、ＰＴＳ（Ｐｒｅｓｅｎｔａｔｉｏｎ  Ｔｉｍｅ  Ｓｔａｍｐ）であり、
前記管理テーブル生成手段は、前記リングバッファに蓄積されている前記ＴＳパケットが前記Ｈ．２６４／ＭＰＥＧ−４  ＡＶＣに準拠した信号かどうかを判定し、前記Ｈ．２６４／ＭＰＥＧ−４  ＡＶＣに準拠した信号であると判定した場合には、前記ＴＳパケットがＰＥＳ（Ｐａｃｋｅｔｉｚｅｄ  Ｅｌｅｍｅｎｔａｒｙ  Ｓｔｒｅａｍ）パケットの先頭であるかどうかを判定し、ＰＥＳパケットの先頭であると判定した場合には、ＰＥＳパケットデータバイトにＩＤＲ（Ｉｎｓｔａｎｔａｎｅｏｕｓ  Ｄｅｃｏｄｅｒ  Ｒｅｆｒｅｓｈ）フレームが含まれているかどうかを判定し、ＩＤＲフレームが含まれていると判定した場合には、前記ＴＳパケットが蓄積されているバッファオフセットと、前記ＴＳパケットのＰＴＳとから構成される管理テーブルを生成し、
前記録画処理手段は、前記録画開始要求手段により前記録画の開始が要求された場合に、前記管理テーブルを参照し、前記通知手段により通知される前記ＰＴＳに対応するＰＴＳを検索し、検索された前記ＰＴＳに対応するＴＳパケットのバッファオフセットを取得し、取得した前記バッファオフセットに基づいて前記リングバッファから前記ＴＳパケット以降のＴＳパケットを順次読み出し、読み出したＴＳパケットを前記所定のメモリに録画することを特徴とする請求項１記載の電子機器。
【請求項３】
所定方式により圧縮処理されたデジタル放送信号を受信する受信工程と、
前記受信工程により受信された前記デジタル放送信号を所定の信号単位で一時的にバッファメモリに蓄積する蓄積工程と、
前記バッファメモリに蓄積されている信号単位の中から特定の信号単位が蓄積されている位置情報と、前記特定の信号単位を示す固有情報とから構成される管理テーブルを生成する管理テーブル生成工程と、
前記受信工程により受信された前記デジタル放送信号を復号処理する復号処理工程と、
前記復号処理工程により前記復号処理が行われた場合、復号処理が可能である旨を表す復号可能情報を生成する生成工程と、
前記バッファメモリから前記信号単位を読み出し、読み出した信号単位を所定のメモリに録画処理する録画処理工程と、を有し、
前記録画処理工程は、前記デジタル放送信号の録画の開始が要求された場合に、前記管理テーブルを参照し、前記生成工程により生成された前記復号可能情報に対応する固有情報を検索し、検索された前記固有情報に対応する特定の信号単位の位置情報を取得し、取得した前記位置情報に基づいて前記バッファメモリから前記特定の信号単位以降の信号単位を順次読み出し、読み出した信号単位を前記所定のメモリに録画することを特徴とする録画方法。
【発明の詳細な説明】
【技術分野】
【０００１】
本発明は、デジタル放送信号を受信可能な電子機器及び録画方法に関する。
【背景技術】
【０００２】
我が国におけるテレビジョン放送は、全面的に地上波デジタル放送に移行する計画になっている。この地上波デジタル放送の特徴の一つに携帯端末向けの簡易動画放送があり、各放送局に割り当てられた１チャンネル分の帯域（６ＭＨｚ）を１３セグメントに分けたうちの特定の１セグメントで映像を配信する。
【０００３】
現在、携帯電話機の多くは、カメラ画像やインターネットコンテンツ等により取得した映像を再生するための機能を備えている。したがって、地上波デジタル放送に対応する機能を追加することにより、地上波デジタル放送により受信した各種情報を再生できる携帯情報端末として使用できるようになる。
【０００４】
このような携帯情報端末は、例えば、地上波デジタル放送波を受信するアンテナ部と、前記アンテナ部で受信した前記地上波デジタル放送波を復調処理する復調処理部と、復調処理された信号（トランスポートストリーム（ＴＳ））を音声ＴＳと映像ＴＳとに分離する分離処理部と、分離処理された音声ＴＳをデコード処理する音声ＴＳデコード処理部と、分離処理された映像ＴＳをデコード処理する映像ＴＳデコード処理部と、音声ＴＳデコード処理部によりデコード処理された音声を出力するスピーカと、映像ＴＳデコード処理部によりデコード処理された映像を出力するディスプレイと、ＴＳから同期信号を抽出し、音声と映像の同期処理を行う同期処理部と、を備える。
【０００５】
また、携帯情報端末は、受信したテレビ番組を録画する機能を有しており、例えば、特許文献１に示すような技術（デジタル放送をそのまま（圧縮したまま）録画したり、録画したファイルを再生する）を利用することができる。
【０００６】
また、地上波デジタル放送波は、ＭＰＥＧ（Ｍｏｖｉｎｇ  Ｐｉｃｔｕｒｅ  Ｅｘｐｅｒｔｓ  Ｇｒｏｕｐ）規格に準拠しており、空間型圧縮と時間型圧縮の双方を利用した非可逆圧縮が採用されている。また、各フレームは、ＧＯＰ（Ｇｒｏｕｐ  ｏｆ  Ｐｉｃｔｕｒｅ）と呼ばれる単位で圧縮・伸長が行われる。
【０００７】
また、ＧＯＰに含まれる画像データには、Ｉフレーム（Ｉｎｔｒａ−Ｆｌａｍｅ、イントラ符号化画像、フレーム内符号化画像）、Ｐフレーム（Ｐｒｅｄｉｃｔｉｖｅ−Ｆｌａｍｅ、Ｐｒｅｄｉｃｔｉｖｅ符号化画像、フレーム間順方向予測符号化画像）、Ｂフレーム（Ｂｉｄｉｒｅｃｔｉｏｎａｌｌｙ  ｐｒｅｄｉｃｔｉｖｅ−Ｆｌａｍｅ、Ｂｉｄｉｒｅｃｔｉｏｎａｌｌｙ  ｐｒｅｄｉｃｔｉｖｅ符号化画像、双方向予測符号化画像）の３種類がある。
【０００８】
Ｉフレームは、他の画像データ（フレーム）とは独立してエンコード（フレーム内符号化）された画像データであり、他の画像データを用いずにデコード（復号）することができる。例えば、記録されている映像ストリームに含まれるＧＯＰにランダムアクセスする場合、ＧＯＰ内のＩフレームにアクセスする。また、例えば、再生装置においては、所定の再生順序とは無関係に任意のＧＯＰにアクセスして再生する場合や、早送り再生等により、映像ストリームに含まれる画像データを間欠的に再生する場合、ＧＯＰ内のＩフレームにアクセスして、Ｉフレームを再生する。
【０００９】
また、Ｐフレームは、映像ストリームの時間軸上において過去に位置するＩフレーム又は他のＰフレームを用いて、エンコード（フレーム間順方向予測符号化）された画像データである。Ｐフレームをデコードする場合、エンコードに用いた画像データを用いる必要がある。
【００１０】
また、Ｂフレームは、映像ストリームの時間軸上において過去及び未来に位置するＩフレーム又はＰフレームの画像データを用いて、エンコード（フレーム間双方向予測符号化）された画像データである。Ｂフレームをデコードする場合、エンコードに用いた画像データを用いる必要がある。また、Ｐフレーム及びＢフレームとも、他の画像データを最大で２枚用いてエンコードされる。
【特許文献１】特開２００６−３０９８１９号公報
【発明の開示】
【発明が解決しようとする課題】
【００１１】
ところで、ＭＰＥＧに準拠した番組（コンテンツ）の録画においては、ＴＳパケットを録画開始時点から単純に保存してゆくと、Ｐフレーム又はＢフレームから録画が開始される可能性があり、録画開始時点の前後のＴＳパケットがなければ、ＰＥＳパケットを構築できず、映像や音声を得ることができない無駄なデータになってしまう。
【００１２】
また、前述のような問題を回避するには、録画開始時点のＴＳパケットが確実にデコードできるデータになっているか否かの判定を行うために、録画を開始する前に、予めバッファ等に蓄積されているＴＳパケットのデータを解析する必要があり、ソフトウェアによる処理が複雑になってしまう。
【００１３】
また、このような処理を行うことにより、ソフトウェアに処理負荷がかかってしまい、処理パフォ一マンスへの影響が発生してしまう。
【００１４】
そこで、本発明は、上述のような課題に鑑みてなされたものであり、その目的の一つは、録画開始時において、ソフトウェアによるＴＳパケットのデータ解析処理を簡略化し、処理パフォーマンスを向上し、確実にデコードできるデータ（フレーム）から録画を開始することができる電子機器及び録画方法を提供することを目的とする。
【課題を解決するための手段】
【００１５】
本発明に係る電子機器は、上述の課題を解決するために、所定方式により圧縮処理されたデジタル放送信号を受信する受信手段と、前記受信手段により受信された前記デジタル放送信号を所定の信号単位で一時的に蓄積する蓄積手段と、前記蓄積手段から前記信号単位を読み出し、読み出した信号単位を所定のメモリに録画処理する録画処理手段と、前記蓄積手段に蓄積されている信号単位の中から特定の信号単位が蓄積されている位置情報と、前記特定の信号単位を示す固有情報とから構成される管理テーブルを生成する管理テーブル生成手段と、前記受信手段により受信された前記デジタル放送信号を復号処理する復号処理手段と、前記復号処理手段により前記復号処理が行われた場合、復号処理が可能である旨を表す復号可能情報を生成し、生成した復号可能情報を前記録画処理手段に通知する通知手段と、前記デジタル放送信号の録画の開始を前記録画処理手段に要求する録画開始要求手段と、を備え、前記録画処理手段は、前記録画開始要求手段により前記録画の開始が要求された場合に、前記管理テーブルを参照し、前記通知手段により通知される前記復号可能情報に対応する固有情報を検索し、検索された前記固有情報に対応する特定の信号単位の位置情報を取得し、取得した前記位置情報に基づいて前記蓄積手段から前記特定の信号単位以降の信号単位を順次読み出し、読み出した信号単位を前記所定のメモリに録画する。
【００１６】
前記電子機器では、前記受信手段で受信するデジタル放送信号は、Ｈ．２６４／ＭＰＥＧ−４  ＡＶＣ（Ｍｏｖｉｎｇ  Ｐｉｃｔｕｒｅ  Ｅｘｐｅｒｔｓ  Ｇｒｏｕｐ−４  Ａｄｖａｎｃｅｄ  Ｖｉｄｅｏ  Ｃｏｒｄｉｎｇ）の圧縮規格に準拠するＴＳ（Ｔｒａｎｓｐｏｒｔ  Ｓｔｒｅａｍ）であり、前記蓄積手段は、リングバッファであり、前記蓄積手段に蓄積される前記所定の信号単位は、ＴＳパケットであり、前記通知手段により通知される前記復号可能情報は、ＰＴＳ（Ｐｒｅｓｅｎｔａｔｉｏｎ  Ｔｉｍｅ  Ｓｔａｍｐ）であり、前記管理テーブル生成手段は、前記リングバッファに蓄積されている前記ＴＳパケットが前記Ｈ．２６４／ＭＰＥＧ−４  ＡＶＣに準拠した信号かどうかを判定し、前記Ｈ．２６４／ＭＰＥＧ−４  ＡＶＣに準拠した信号であると判定した場合には、前記ＴＳパケットがＰＥＳ（Ｐａｃｋｅｔｉｚｅｄ  Ｅｌｅｍｅｎｔａｒｙ  Ｓｔｒｅａｍ）パケットの先頭であるかどうかを判定し、ＰＥＳパケットの先頭であると判定した場合には、ＰＥＳパケットデータバイトにＩＤＲ（Ｉｎｓｔａｎｔａｎｅｏｕｓ  Ｄｅｃｏｄｅｒ  Ｒｅｆｒｅｓｈ）フレームが含まれているかどうかを判定し、ＩＤＲフレームが含まれていると判定した場合には、前記ＴＳパケットが蓄積されているバッファオフセットと、前記ＴＳパケットのＰＴＳとから構成される管理テーブルを生成し、前記録画処理手段は、前記録画開始要求手段により前記録画の開始が要求された場合に、前記管理テーブルを参照し、前記通知手段により通知される前記ＰＴＳに対応するＰＴＳを検索し、検索された前記ＰＴＳに対応するＴＳパケットのバッファオフセットを取得し、取得した前記バッファオフセットに基づいて前記リングバッファから前記ＴＳパケット以降のＴＳパケットを順次読み出し、読み出したＴＳパケットを前記所定のメモリに録画することが好ましい。
【００１７】
本発明に係る録画方法は、上述の課題を解決するために、所定方式により圧縮処理されたデジタル放送信号を受信する受信工程と、前記受信工程により受信された前記デジタル放送信号を所定の信号単位で一時的にバッファメモリに蓄積する蓄積工程と、前記バッファメモリに蓄積されている信号単位の中から特定の信号単位が蓄積されている位置情報と、前記特定の信号単位を示す固有情報とから構成される管理テーブルを生成する管理テーブル生成工程と、前記受信工程により受信された前記デジタル放送信号を復号処理する復号処理工程と、前記復号処理工程により前記復号処理が行われた場合、復号処理が可能である旨を表す復号可能情報を生成する生成工程と、前記バッファメモリから前記信号単位を読み出し、読み出した信号単位を所定のメモリに録画処理する録画処理工程と、を有し、前記録画処理工程は、前記デジタル放送信号の録画の開始が要求された場合に、前記管理テーブルを参照し、前記生成工程により生成された前記復号可能情報に対応する固有情報を検索し、検索された前記固有情報に対応する特定の信号単位の位置情報を取得し、取得した前記位置情報に基づいて前記バッファメモリから前記特定の信号単位以降の信号単位を順次読み出し、読み出した信号単位を前記所定のメモリに録画することを特徴とする。
【発明の効果】
【００１８】
本発明によれば、確実にデコードできるデータ（フレーム）から録画を開始することができる。
【発明を実施するための最良の形態】
【００１９】
以下、図面を参照して本発明を実施するための最良の形態を説明する。なお、以下、携帯端末装置として携帯電話機について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００２０】
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００２１】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００２２】
ここで、閉状態とは、両筐体が互いに重なるように配置された状態であり、開状態とは、両筐体が互いに重ならないように配置された状態をいう。そして、開状態における表状態とは、後述する表示部側筐体３における表面３Ａに配置されるディスプレイ３０と、操作部側筐体２におけるフロントケース２ａに配置される操作キー群１１とが同じ側を向くように配置された状態であり、裏状態とは、表示部側筐体３におけるディスプレイ３０と操作部側筐体２における操作キー群１１とが反対側を向くように配置された状態をいう。また、閉状態における表状態とは、表示部側筐体３におけるディスプレイ３０が操作部側筐体２における操作キー群１１に対向するように配置された状態であり、閉状態における裏状態とは、表示部側筐体３におけるディスプレイ３０が操作部側筐体２における操作キー群１１と対向せずに表出した状態である。
【００２３】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２４】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７及びインターフェース１８は、不使用時において着脱可能な防塵対策用のキャップで覆われている。
【００２６】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２７】
操作部側筐体２のリアケース２ｂには、図３に示すように、被写体を撮像するカメラ部２３と、被写体に光を照射するライト部２４とが露出して配置される。このカメラ部２３とライト部２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２８】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２９】
また、表示部側筐体３は、外面がフロントケース３ａとリアケース３ｂにより構成される。表示部側筐体３におけるフロントケース３ａには、図１に示すように、各種情報を表示するための所定形状のディスプレイ３０と、通話の相手側における音声を出力する音声出力部３１とが露出するように配置される。ここで、音声出力部３１は、表示部側筐体３の長手方向における連結部４とは反対の外端部側に配置される。つまり、音声出力部３１は、携帯電話機１が開状態において他方の端部側に配置される。
【００３０】
また、表示部側筐体３のリアケース３ｂには、図３に示すように、各種情報を表示するためのサブディスプレイ３２が露出して配置される。ディスプレイ３０及びサブディスプレイ３２それぞれは、液晶パネルと、この液晶パネルを駆動する駆動回路と、この液晶パネルの背面側から光を照射するバックライト等の光源部とから構成される。
【００３１】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが一つの筐体に配置され連結部を有さない型式（ストレートタイプ）でも良い。
【００３２】
つぎに、図４の機能ブロック図を参照して、携帯電話機１の各機能について説明する。携帯電話機１は、図４に示すように、外部の機器（基地局）と通信を行う通信部１００と、放送波を受信する放送波受信部１５０と、所定の処理を行う処理部２００と、を備えている。
【００３３】
通信部１００の構成と動作について説明する。通信部１００は、所定の通信方式（例えば、ＣＤＭＡ（Ｃｏｄｅ  Ｄｉｖｉｓｉｏｎ  Ｍｕｌｉｔｉｐｌｅ  Ａｃｃｅｓｓ）２０００＿１ｘ等）に基づいて、基地局を介して他の通信端末装置との間で電話による通信やメールによる通信等を行うアンテナ部１０１と、送信処理を行う送信回路と受信処理を行う受信回路とにより構成される通信処理部１０２と、を備える。
【００３４】
アンテナ部１０１は、例えば、所定の使用周波数帯（例えば、８００ＭＨｚ）で基地局と通信を行う。なお、使用周波数帯は、８００ＭＨｚ以外の周波数帯であっても良い。また、アンテナ部１０１は、複数の使用周波数帯に対応できるように構成されていても良い。
【００３５】
通信処理部１０２は、アンテナ部１０１によって受信した信号を受信回路により復調処理し、処理後の信号を処理部２００に供給し、また、処理部２００から供給された信号を送信回路により変調処理し、アンテナ部１０１を介して基地局に送信する。
【００３６】
また、放送波受信部１５０の構成と動作について説明する。放送波受信部１５０は、放送波受信用のアンテナ２２と、アンテナ２２により受信した信号に対して所定の処理を行う放送波処理部１５１と、を備える。また、アンテナ２２は、上述したように、電波の受信角度を調整可能なように構成されている。
【００３７】
また、処理部２００は、操作キー群１１と、マイク１２と、ディスプレイ３０と、音声出力部３１と、所定のデータが格納されているメモリ２０１と、所定の音処理を行う音処理部２０２と、所定の画像処理を行う画像処理部２０３と、被写体を撮像するカメラ部２３と、着信音等が出力されるスピーカ２０４等を備えている。
【００３８】
放送波受信部１５０は、いわゆるワンセグ放送の受信を行う。ここで、ワンセグ放送について説明する。
【００３９】
地上デジタル放送は、ＵＨＦ帯の電波を使用しており、１チャンネル（帯域幅６ＭＨｚ）を１４個に周波数分割し、その中の１３個（セグメント）（帯域幅５．６ＭＨｚ）を放送に使用する。また、残りの１個は、隣のチャンネルとの混信を避けるためのガードバンドとして使用される。
【００４０】
また、１３セグメントの内、中央のセグメントがワンセグ放送用に割り当てられる。
【００４１】
また、ワンセグ放送は、４２９ｋＨｚと帯域が狭いが、移動体端末向けということで雑音に強い変調方式（ＱＰＳＫ−ＯＦＤＭ（Ｑｕａｄｒａｔｕｒｅ  Ｐｈａｓｅ  Ｓｈｉｆｔ  Ｋｅｙｉｎｇ（４位相偏移変調）−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ（直交周波数分割多重））方式）が採られており、また、１セグメントだけの受信で済むので、アナログ放送の受信に比べて消費電力を抑えることができる。
【００４２】
また、日本の地上デジタル放送方式ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）は、各階層毎に搬送波の変調方式や誤り訂正の強さを変えることができるという特徴がある。これによって、１セグメントを移動体端末向けに雑音に強い方式で変調して、残りの１２セグメントを固定受信機向けに情報レート優先で変調して高精細で放送するといったことが可能となっている。
【００４３】
つぎに、放送波受信部１５０に備えられている放送波処理部１５１の構成について説明する。
【００４４】
放送波処理部１５１は、図５に示すように、アンテナ２２により受信した放送波を処理する受信処理部１６０（受信手段）と、リングバッファ１６１（蓄積手段）と、管理テーブル生成部１６２（管理テーブル生成手段）と、デコーダ部１６３（復号処理手段）と、通知部１６４（通知手段）と、録画開始要求部１６５（録画開始要求手段）と、録画処理部１６６（録画処理手段）と、を備える。また、管理テーブル生成部１６２と、デコーダ部１６３と、通知部１６４とは、コプロセッサ１７０を構成している。
【００４５】
受信処理部１６０は、所定方式により変調・圧縮処理されたデジタル放送信号を受信し、受信したデジタル放送信号に基づいて、放送局が送り出したＴＳ（Ｔｒａｎｓｐｏｒｔ  Ｓｔｒｅａｍ）パケットの復元処理を行う。
【００４６】
具体的には、受信処理部１６０は、ＲＦ（Ｒａｄｉｏ  Ｆｒｅｑｕｅｎｃｙ）部１６０Ａと、ＯＦＤＭ復調部１６０Ｂと、誤り訂正部１６０Ｃと、により構成されている。
【００４７】
ＲＦ部１６０Ａは、受信した放送信号をベースバンド信号に変換する。ＯＦＤＭ復調部１６０Ｂは、ベースバンド信号をＡＤ変換した後にＯＦＤＭ復調する。誤り訂正部１６０Ｃは、ＯＦＤＭ復調された信号に誤り訂正を行う。以下では、誤り訂正後の信号をＴＳパケットと呼ぶ。
【００４８】
また、ＴＳパケットには、映像ＴＳパケットと、音声ＴＳパケットと、字幕や番組情報等の付加情報が含まれている。また、この付加情報には、再生を行う時刻情報であるＰＴＳ（Ｐｒｅｓｅｎｔａｔｉｏｎ  Ｔｉｍｅ  Ｓｔａｍｐ）等が含まれている。
【００４９】
また、ＴＳパケットは、１８８バイトの固定長パケットであり、図６（Ａ）に示すように、４バイト固定のヘッダと、１８４バイト可変長であるアダプテーションフィールドと、ペイロードとから構成されている。また、ヘッダには、ＰＩＤ（Ｐａｋｅｔ  Ｉｄｅｎｔｉｆｉｅｒ）が記述されており、パケットの識別を可能としている。
【００５０】
また、同じＰＩＤである複数のＴＳパケットのペイロード部分がつなぎ合わされることにより、図６（Ｂ）に示すように、ＰＥＳ（Ｐａｃｋｅｔｉｚｅｄ  Ｅｌｅｍｅｎｔａｒｙ  Ｓｔｒｅａｍ）パケットが構成される。ＰＥＳパケットは、パケット開始コードプレフィックスと、ストリームＩＤと、ＰＥＳパケット長と、ＰＥＳヘッダオプションと、スタッフィングバイトと、ＰＥＳパケットデータバイトと、から構成されている。また、ＰＥＳヘッダオプションには、ＰＴＳが含まれている。また、ＰＥＳパケットデータバイトには、Ｈ．２６４／ＭＰＥＧ−４  ＡＶＣが含まれている。また、ＰＥＳパケットは、単一のメディア情報をあるプレゼンテーションの単位でパケット化されており、メディア再生の時間管理を行う単位となる。したがって、一つのＰＥＳパケットで、一つのフレームを構成する。
【００５１】
デコーダ部１６３は、受信処理部１６０による所定の処理が行われた後のデジタル放送信号を復号処理する。具体的には、デコーダ部１６３は、映像ＴＳパケットから映像信号をデコードする。デコードされた映像信号は、処理部２００のディスプレイ３０に送信され、映像として表示される。なお、本実施例においては省略したが、放送波処理部１５１は、音声ＴＳパケットのデコード処理を行う音声デコード処理部を有している。
【００５２】
リングバッファ１６１は、受信処理部１６０により受信されたデジタル放送信号を所定の信号単位（ＴＳパケット）で一時的に蓄積する。リングバッファ１６１を使用することにより、録画対象とならないＩＤＲフレーム以前のＴＳパケットが蓄積されていてもクリア処理が不要となるため処理を簡略化することが可能となる。
【００５３】
管理テーブル生成部１６２は、詳細は後述するが、リングバッファ１６１に蓄積されているＴＳパケットの中から特定のＴＳパケット（詳細は、後述するが、ＰＥＳの先頭であり、かつＩＤＲフレームを含んでいるＴＳパケット）が蓄積されている位置情報と、特定のＴＳパケットを示す固有情報（ＰＴＳ）とから構成される管理テーブルを生成する。
【００５４】
通知部１６４は、デコーダ部１６３により復号処理が行われた場合、復号処理が可能である旨を表す復号可能情報（ＰＴＳにより構成される情報）を生成し、生成した復号可能情報を録画処理部１６６に通知する。
【００５５】
また、録画開始要求部１６５は、デジタル放送信号の記録の開始を要求する。録画開始要求部１６５は、例えば、ユーザにより操作キー群１１が録画開始の操作が行われることにより、録画処理部１６６に対して録画の開始を要求する。
【００５６】
録画処理部１６６は、リングバッファ１６１からＴＳパケットを読み出し、読み出したＴＳパケットを処理部２００のメモリ２０１に録画処理する。
【００５７】
ここで、録画処理部１６６の動作について説明する。録画処理部１６６は、録画開始要求部１６５により録画の開始が要求された場合に、管理テーブル生成部１６２により生成された管理テーブルを参照し、通知部１６４により通知される復号可能情報（ＰＴＳ）に対応する固有情報（ＰＴＳ）を検索し、検索された固有情報（ＰＴＳ）に対応する特定のＴＳポケットの位置情報（バッファオフセット）を取得し、取得した位置情報（バッファオフセット）に基づいてリングバッファ１６１から特定のＴＳパケット以降のＴＳパケットを順次読み出し、読み出したＴＳパケットを処理部２００のメモリ２０１に録画処理する。
【００５８】
＜管理テーブルの生成方法＞
つぎに、管理テーブル生成部１６２により管理テーブルを生成する方法について説明する。なお、受信処理部１６０で処理するデジタル放送信号（映像信号）は、例えば、Ｈ．２６４／ＭＰＥＧ−４  ＡＶＣ（Ｍｏｖｉｎｇ  Ｐｉｃｔｕｒｅ  Ｅｘｐｅｒｔｓ  Ｇｒｏｕｐ−４  Ａｄｖａｎｃｅｄ  Ｖｉｄｅｏ  Ｃｏｒｄｉｎｇ）の圧縮規格に準拠するＴＳである。
【００５９】
管理テーブル生成部１６２は、リングバッファ１６１に蓄積されているＴＳパケットがＨ．２６４／ＭＰＥＧ−４  ＡＶＣに準拠した信号かどうかを判定する。具体的には、ＴＳパケットのヘッダのＰＩＤを参照し、ＰＩＤがＨ．２６４／ＭＰＥＧ−４  ＡＶＣかどうかを判定する。
【００６０】
管理テーブル生成部１６２は、ＴＳパケットがＨ．２６４／ＭＰＥＧ−４  ＡＶＣに準拠しているパケットであると判定した場合には、ＴＳパケットがＰＥＳ（Ｐａｃｋｅｔｉｚｅｄ  Ｅｌｅｍｅｎｔａｒｙ  Ｓｔｒｅａｍ）パケットの先頭であるかどうかを判定する。具体的には、ＴＳパケットのヘッダの「ｐａｙｌｏａｄ＿ｕｎｉｔ＿ｓｔａｒｔ＿ｉｎｄｉｃａｔｏｒ」が「１」であるかどうかにより判定を行う。「ｐａｙｌｏａｄ＿ｕｎｉｔ＿ｓｔａｒｔ＿ｉｎｄｉｃａｔｏｒ」が「１」であれば、ＴＳパケットは、ＰＥＳの先頭であると判定される。
【００６１】
管理テーブル生成部１６２は、ＴＳパケットがＰＥＳパケットの先頭であると判定した場合には、ＰＥＳパケットデータバイトにＩＤＲ（Ｉｎｓｔａｎｔａｎｅｏｕｓ  Ｄｅｃｏｄｅｒ  Ｒｅｆｒｅｓｈ）フレームが含まれているかどうかを判定する。
【００６２】
具体的には、管理テーブル生成部１６２は、ＰＥＳパケットデータバイトを参照し、「ａｃｃｅｓｓ＿ｕｎｉｔ＿ｄｅｌｉｍｉｔｅｒ」の「ｐｒｉｍａｒｙ＿ｐｉｃ＿ｔｙｐｅ」が「０」であれば、ＰＥＳパケットデータバイトにＩＤＲフレームが含まれていると判定する。
【００６３】
ここで、ＩＤＲフレームについて説明する。ＩＤＲフレームは、他のフレームとは独立してエンコード（フレーム内符号化）されたフレームであり、他のフレームを用いずにデコード（復号）することができるフレームである。
【００６４】
また、Ｈ．２６４／ＭＰＥＧ−４  ＡＶＣでは、Ｐフレームが直前だけでなくそれよりも前のフレームを参照することができるように規定されている。
【００６５】
ここで、ＩＤＲフレームは、以降のＰフレームに対して自身（ＩＤＲフレーム）よりも前のフレームの参照を禁止する。したがって、Ｈ．２６４／ＭＰＥＧ−４  ＡＶＣでは、Ｐフレームは、ＩＤＲフレームよりも前のフレームを参照することができないように規定されている。
【００６６】
また、Ｈ．２６４／ＭＰＥＧ−４  ＡＶＣでは、ＩＤＲフレームは、ＰＥＳパケットデータの先頭に位置するように規定されている。
【００６７】
なお、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）において、「ａｃｃｅｓｓ＿ｕｎｉｔ＿ｄｅｌｉｍｉｔｅｒ」のパラメータである「ｐｒｉｍａｒｙ＿ｐｉｃ＿ｔｙｐｅ」が「０」であればＩＤＲフレームを含むものと規定されている。また、「ａｃｃｅｓｓ＿ｕｎｉｔ＿ｄｅｌｉｍｉｔｅｒ」と「ｐｒｉｍａｒｙ＿ｐｉｃ＿ｔｙｐｅ」は、Ｈ．２６４／ＭＰＥＧ−４  ＡＶＣによる規格であり、「ｐａｙｌｏａｄ＿ｕｎｉｔ＿ｓｔａｒｔ＿ｉｎｄｉｃａｔｏｒ」やＴＳパケット、ＰＥＳパケットは、ＭＰＥＧ−２の規格である。
【００６８】
管理テーブル生成部１６２は、ＩＤＲフレームが含まれていると判定した場合には、当該ＴＳパケットのバッファオフセット（ＰＥＳパケットの先頭であり、かつＩＤＲフレームが含まれると判定されたＴＳパケットが蓄積されているリングバッファ１６１における位置情報）と、当該ＴＳパケットのＰＴＳとに基づいて管理テーブルを生成する。
【００６９】
＜録画動作＞
つぎに、録画処理部１６６の動作について図７に示すフローチャートを参照しながら説明する。録画処理部１６６は、録画開始要求部１６５により録画の開始が要求された場合に（ステップＳ１）、上述したように生成された管理テーブルを参照し（ステップＳ２）、通知部１６４により通知される復号可能情報（ＰＴＳ）に対応（一致）するＰＴＳを検索し（ステップＳ３）、検索されたＰＴＳに対応するＴＳパケットのバッファオフセットを取得し（ステップＳ４）、取得したバッファオフセットに基づいてリングバッファ１６１から当該ＴＳパケット以降のＴＳパケットを順次読み出し（ステップＳ５）、読み出したＴＳパケットを処理部２００のメモリ２０１に録画の処理を行う（ステップＳ６）。したがって、メモリ２０１には、確実にデコードを行うことができるＴＳパケットが保存されており、かつ先頭のＴＳパケットから順次再生処理（デコード処理）する場合において、先頭フレームは、ＩＤＲフレームになっている。
【００７０】
このようにして本発明に係る携帯電話機１は、確実にデコードを行うことができるデータ（ＴＳパケット）をメモリ２０１に録画データとして保存することができるため、録画データの再生開始やサムネイル表示開始までの処理を簡略化することができる。また、再生処理を行う場合には、図示しない再生処理部がメモリ２０１からＴＳパケットを読み出し、読み出したＴＳパケットをデコーダ部１６３に供給し、デコーダ部１６３によりデコード処理が行われ、デコード処理後の映像データがディスプレイ３０に供給され、映像として再生される。また、メモリ２０１から読み出された音声データ（音声ＴＳパケット）も同様にデコード処理が行われ、映像データと同期処理が行われて、デコード処理後の音声データがスピーカ２０４から出力される。
【００７１】
また、本発明に係る携帯電話機１は、コンテンツの録画開始時にソフトウェアによるＴＳパケットの解析（デコードが可能かどうかの解析）が不要となり、ソフトウェアの処理を簡略にすることができる。
【００７２】
また、本発明に係る携帯電話機１は、上述のように、ソフトウェアによる解析処理を簡略化することができるので、再生処理のパフォーマンス（処理速度）を改善することができる。
【００７３】
また、従来の装置においては、例えば、録画を開始した直後に録画を停止したような場合には、録画したＴＳパケットがデコード処理を行うことが可能か否か不明であるため、録画したＴＳパケットを解析し、当該解析結果からデコード処理を行うことができないと判明した場合に、メモリ２０１から当該ＴＳパケットの消去を行う処理を行っていたが、本発明に係る携帯電話機１は、必ずデコード処理が可能なＴＳパケットのみをメモリ２０１に保存する方式であるため、上述のような処理を行う必要がない。
【図面の簡単な説明】
【００７４】
【図１】携帯電話機を開いた状態（第１開状態）における正面図を示す。
【図２】（Ａ）携帯電話機を開いた状態における左側面図を示し、（Ｂ）携帯電話機を開いた状態における右側面図を示す。
【図３】携帯電話機を開いた状態における背面図を示す。
【図４】本発明に係る携帯電話機の機能を示すブロック図である。
【図５】本発明に係る携帯電話機に備えられている放送波処理部の機能を示すブロック図である。
【図６】ＴＳパケットとＰＥＳパケットの構成について示す図である。
【図７】録画動作についての説明に供するフローチャートである。
【符号の説明】
【００７５】
１  携帯電話機
２  操作部側筐体
２ａ、３ａ  フロントケース
２ｂ、３ｂ  リアケース
３  表示部側筐体
４  連結部
２２  アンテナ
３０  ディスプレイ
１００  通信部
１０１  アンテナ部
１０２  通信処理部
１５０  放送波受信部
１５１  放送波処理部
１６０  受信処理部
１６０Ａ  ＲＦ部
１６０Ｂ  ＯＦＤＭ復調部
１６０Ｃ  誤り訂正部
１６１  リングバッファ
１６２  管理テーブル生成部
１６３  デコーダ部
１６４  通知部
１６５  録画開始要求部
１６６  録画処理部
１７０  コプロセッサ
２００  処理部
２０１  メモリ
２０４  スピーカ
【図１】
2008277950.tif 000003
【図２】
2008277950.tif 000004
【図３】
2008277950.tif 000005
【図４】
2008277950.tif 000006
【図５】
2008277950.tif 000007
【図６】
2008277950.tif 000008
【図７】
2008277950.tif 000009